【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
トイレ設備が取り付けられている面に近接し平行である孔を有する下水管を具える衛生排出路へ、身体排泄物を流すためのオーバーフロー防止トイレ設備において、当該設備が：
前記面に取り付けられる構造本体部と；
前記下水管で終端して液通する第１配水管と；
前記第１配水管が前記下水管で終端する箇所を越えて前記衛生排出路の前記孔へ延在する第２配水管と；
を具えることを特徴とする設備。
【請求項２】
請求項１に記載のトイレ設備において、前記設備が、ある高さで水を収容して前記身体排泄物を最初に受ける受けボウルを具え、前記ボウルは、流水出口を具える上側縁部を具えて前記第１配水管に液通しており、前記第２配水管が：
前記ボウル中に前記縁部より下に且つ前記ある一定の水の高さより上に形成された少なくとも１の入口穴と；
前記少なくとも１の入口穴及び前記下水管に液通する配水管とを具えることを特徴とするトイレ設備。
【請求項３】
請求項２に記載のトイレ設備において、前記第２配水管がさらに、前記少なくとも１の入口穴及び前記配水管に液通する出口穴に液通する第１端部を有する囲まれた貯留部を具えることを特徴とするトイレ設備。
【請求項４】
請求項１に記載のトイレ設備において、前記第１配水管が円筒カラーで終端しており、前記カラーの一部が前記下水管の前記孔内へ延在しており、前記第２配水管は、前記カラーを通過してさらに前記下水管内へ延在する排出口で終端することを特徴とするトイレ設備。
【請求項５】
請求項４に記載のトイレ設備において、前記排出口が前記カラーを越えて約２分の１インチ延在することを特徴とするトイレ設備。
【請求項６】
請求項１に記載のトイレ設備において、前記第２配水管がさらに、下水ガスが前記第２配水管を通ることを防ぐ液体トラップ手段を具えることを特徴とするトイレ設備。
【請求項７】
請求項１に記載のトイレ設備において、前記構造本体部が便器の形状であることを特徴とするトイレ設備。
【請求項８】
請求項１に記載のトイレ設備において、前記構造本体部が小便便器の形状であることを特徴とするトイレ設備。
【請求項９】
請求項１に記載のトイレ設備において、前記第２配水管が前記本体部の外部に配置されて、前記下水管に液通するように前記本体部に形成されている孔を通っていることを特徴とするトイレ設備。
【請求項１０】
請求項１に記載のトイレ設備において、前記第２配水管が前記本体部内に一体的に形成されていることを特徴とするトイレ設備。
【請求項１１】
下水排水管に液通するオーバーフロー防止トイレ設備において、前記設備が：
上側縁部を具えてある一定の水の高さで水を保持する廃棄物受けボウルを具える構造本体部と；
前記ボウルに液通する第１配水管であって、前記下水排水管に液通する円筒カラーで終端する第１配水管と；
前記ボウルを前記下水排水管に連結する第２配水管とを具え、当該第２排水管が：前記ボウル内に前記縁部と前記ある一定の水の高さの間で配置されている入口手段と、内径約２分の１インチであって前記入口手段に液通するオーバーフロー配水管と、前記オーバーフロー配水管に液通して前記カラー内でこれを越えて前記下水排水管の中へ延在する排出口と；
を具え、前記入口手段が、上昇する廃水を前記ボウルから前記オーバーフロー配水管へ流すことができることを特徴とする設備。
【請求項１２】
請求項１１に記載のオーバーフロー防止トイレ設備において、前記第２配水管がさらに、前記入口手段を前記オーバーフロー配水管に連結する貯留部を具え、前記貯留部はほぼ囲まれており、最下部には、前記オーバーフロー配水管及び前記入口手段に液通する受け穴に液通する出口穴を具えることを特徴とするオーバーフロー防止トイレ設備。
【請求項１３】
請求項１１に記載のオーバーフロー防止トイレ設備において、前記構造本体部が便器基部であることを特徴とするオーバーフロー防止トイレ設備。
【請求項１４】
請求項１１に記載のオーバーフロー防止トイレ設備において、前記構造本体部が小便便器であることを特徴とするオーバーフロー防止トイレ設備。
【請求項１５】
請求項１１に記載のオーバーフロー防止トイレ設備において、前記第２配水管が前記構造本体部内に一体的に形成されていることを特徴とするオーバーフロー防止トイレ設備。
【請求項１６】
請求項１１に記載のオーバーフロー防止トイレ設備において、前記オーバーフロー配水管が前記構造本体部の外部に設けられており、前記オーバーフロー配水管の第１部分が、前記本体部を通って延在して前記入口手段に液通し、前記オーバーフロー配水管の第２部分が、前記本体部を通って延在して前記排出口に液通することを特徴とするオーバーフロー防止トイレ設備。
【請求項１７】
既存の主衛生路を変更することなくトイレ設備のオーバーフローを防止する方法において、当該方法が：
前記主衛生路に液通する排出口で終端する第１廃棄物処分配水管を具えるトイレ設備を提供するステップと；
前記トイレ設備のボウル中に複数の入口穴を形成するステップであって、前記ボウルが当該ボウル中の流水出口より下に且つ前記第１廃棄物処分配水管より上に配置されている入口穴を具えるステップと；
前記複数の穴に液通する第２配水管手段を提供するステップと；
前記第２配水管手段が前記主衛生路内で前記第１廃棄物処分配水管排出口を越えて第２排出口で終端するようにするステップと；
を具え、第１処分配水管が詰まっている場合は、廃水が前記入口穴及び前記第２配水管手段を通って前記主衛生路へ抜けることを特徴とする方法。
【請求項１８】
請求項１７に記載の方法がさらに、前記複数の入口穴を通るすべての液体をも収集して、前記液体を前記配水管手段へ集める貯留部手段を提供するステップを具えることを特徴とする方法。
【請求項１９】
請求項１７に記載の方法がさらに、前記トイレ設備内に前記第２配水管手段を設けるステップを具えることを特徴とする方法。
【請求項２０】
請求項１９に記載の方法において、前記トイレ設備内に前記第２配水管手段を設ける前記ステップが、前記トイレ設備内に前記第２配水管を一体的に形成するステップを具えることを特徴とする方法。
【請求項２１】
請求項１７に記載の方法がさらに：
前記トイレ設備の外側に前記第２配水管手段を設けるステップと；
前記第２配水管手段が前記複数の入口穴に液通することができるように前記トイレ設備内に穴を形成するステップと；
前記第２配水管手段が前記第２排出口に液通することができるように前記トイレ設備内に穴を形成するステップと；
を具えることを特徴とする方法。
【請求項２２】
請求項１７に記載の方法において、前記トイレ設備が便器基部であることを特徴とする方法。
【請求項２３】
請求項１７に記載の方法において、前記トイレ設備が小便便器であることを特徴とする方法。
【請求項２４】
請求項１に記載のオーバーフロー防止トイレ設備において、前記第１配水管と第２配水管が、独立して前記トイレ設備を通っていることを特徴とするオーバーフロー防止トイレ設備。
【請求項２５】
請求項１１に記載のオーバーフロー防止トイレ設備において、前記第１配水管と第２配水管が、独立して前記トイレ設備を通っていることを特徴とするオーバーフロー防止トイレ設備。
【請求項２６】
衛生排出管へ身体排泄物を流すためのオーバーフロー防止トイレ設備において：
最下部に排泄物出口を有する排泄物を受けるボウルを具える構造本体部と；
前記構造本体部から延在し、流体路を囲む環状の壁を具えるつばと；
前記構造本体部に形成され、前記ボウルの排泄物出口と液通している第１配水管入口を具える第１配水管であって、前記つばの流体路で終端しているとともに液通している第１配水管と；
前記排泄物出口より上で前記ボウルに形成された少なくとも１の入口穴を具える第２配水管であって、前記第１配水管から完全に離れて前記構造本体部を通過し、前記流体路に隣接しているが別に前記つばの環状の壁を通っている第２の排出口を通って出ている第２配水管と；
を具え、前記つばは、前記第１配水管及び前記第２配水管が、互いに独立して前記衛生排出管と液通するように、前記衛生排出管に連結されていることを特徴とするオーバーフロー防止トイレ設備。
【請求項２７】
請求項２６に記載のオーバーフロー防止トイレ設備において、前記第２配水管が前記構造本体部内に一体的に形成されていることを特徴とするオーバーフロー防止トイレ設備。
【請求項２８】
請求項２６に記載のオーバーフロー防止トイレ設備において、前記つばが、前記衛生排出管内に受けられる大きさである円筒形の外側面を具えていることを特徴とするオーバーフロー防止トイレ設備。
【請求項２９】
請求項２６に記載のオーバーフロー防止トイレ設備において、前記排泄物を受けるボウルが特定の高さの量の流水前の水を収容し、前記少なくとも１の入口穴が前記流水前の水の高さより上に位置することを特徴とするオーバーフロー防止トイレ設備。
【請求項３０】
請求項２６に記載のオーバーフロー防止トイレ設備において、前記排泄物を受けるボウルが、最上部の縁部を具え、前記少なくとも１の入口穴が前記縁部より下に位置することを特徴とするオーバーフロー防止トイレ設備。
【請求項３１】
請求項３０に記載のオーバーフロー防止トイレ設備において、前記設備が、流水源に連結されており、前記設備は、流水の一部が前記少なくとも１の入口穴へ流れるように流水するたびに、前記流水が前記排泄物を受けるボウルに沿って流れることを特徴とするオーバーフロー防止トイレ設備。
【請求項３２】
請求項２９に記載のオーバーフロー防止トイレ設備において、前記構造本体部が便器基部であることを特徴とするオーバーフロー防止トイレ設備。